(57)【要約】【課題】建物構成情報にセキュリティ情報を付加し、前記建物構成情報の配置を行うと、必要なセキュリティエリアを表示することによって、レイアウト設計を行う際に必要なセキュリティエリアが設定されているか否かを視覚的に容易に確認することができ、セキュリティを考慮したレイアウト設計を効率的に行うことができるようにする。【解決手段】複数の建物構成情報を格納する建物構成情報格納手段と、前記建物構成情報を取得するための建物構成情報取得手段と、取得した建物構成情報を所定のエリアに配置する配置手段とを有する建物用ＣＡＤ（Ｃｏｍｐｕｔｅｒ  Ａｉｄｅｄ  Ｄｅｓｉｇｎ）システムであって、前記建物構成情報にはセキュリティ機能の有無を表すセキュリティ情報が付加され、セキュリティ機能を有する建物構成情報を配置すると、該建物構成情報の配置に対応するセキュリティエリアを表示する。【選択図】図１
2008158720.tif 000002
【特許請求の範囲】
【請求項１】
（ａ）複数の建物構成情報を格納する建物構成情報格納手段と、
（ｂ）前記建物構成情報を取得するための建物構成情報取得手段と、
（ｃ）取得した建物構成情報を所定のエリアに配置する配置手段とを有する建物用ＣＡＤシステムであって、
（ｄ）前記建物構成情報にはセキュリティ機能の有無を表すセキュリティ情報が付加され、セキュリティ機能を有する建物構成情報を配置すると、該建物構成情報の配置に対応するセキュリティエリアを表示することを特徴とする建物用ＣＡＤシステム。
【請求項２】
前記セキュリティ情報は複数のレベルを備え、前記セキュリティエリアを前記セキュリティ情報のレベルに応じた態様で表示する請求項１に記載の建物用ＣＡＤシステム。
【請求項３】
前記セキュリティ機能を有する建物構成情報は、建物のエリアヘの入出許可判断を行う機能を備えるものである請求項１に記載の建物用ＣＡＤシステム。
【請求項４】
（ａ）複数の建物構成情報を格納する建物構成情報格納手段と、
（ｂ）前記建物構成情報を取得するための建物構成情報取得手段と、
（ｃ）取得した建物構成情報を所定のゾーンに配置する配置手段とを有する建物用ＣＡＤシステムであって、
（ｄ）前記建物構成情報には被セキュリティ機能の有無を表す被セキュリティ情報が付加され、建物構成情報を配置すると、該建物構成情報の配置に対応する必要なセキュリティエリアの有無を表示することを特徴とする建物用ＣＡＤシステム。
【請求項５】
前記被セキュリティ情報は複数のレベルを備え、前記セキュリティエリアを前記被セキュリティ情報のレベルに応じた態様で表示する請求項４に記載の建物用ＣＡＤシステム。
【請求項６】
前記被セキュリティ機能を有する建物構成情報は、機密情報が記録された媒体を収納するものである請求項４に記載の建物用ＣＡＤシステム。
【請求項７】
（ａ）第１及び第２の建物構成情報を格納する建物構成情報格納手段と、
（ｂ）前記第１及び第２の建物構成情報を取得するための建物構成情報取得手段と、
（ｃ）取得した第１及び第２の建物構成情報を所定のゾーンに配置する配置手段とを有する建物用ＣＡＤシステムであって、
（ｄ）前記第１の建物構成情報にはセキュリティ機能の有無を表すセキュリティ情報が付加され、前記第２の建物構成情報には被セキュリティ機能の有無を表す被セキュリティ情報が付加され、前記第１及び第２の建物構成情報を配置すると、セキュリティ情報と被セキュリティ情報とを比較し、比較結果に応じて警告を表示することを特徴とする建物用ＣＡＤシステム。
【発明の詳細な説明】
【技術分野】
【０００１】
本発明は、建物用ＣＡＤシステムに関するものである。
【背景技術】
【０００２】
近年、銀行、信用金庫、郵便局、消費者金融会社等の金融機関の本店、支店等の営業店、市役所、病院等の公共施設、工場、事務所等の私企業等において、オフィスのレイアウトを作成する場合、オフィスの見取図に直接各部署の部屋割り、机、パーティション等の配置を書き入れる方法に代わり、建築用のＣＡＤ（Ｃｏｍｐｕｔｅｒ  Ａｉｄｅｄ  Ｄｅｓｉｇｎ）システムを用い、机、パーティション等の備品をライブラリ化しておき、建物のフロアの部屋割りや備品などの配置といった空間設計を端末画面によって効率的に行い得るようにしたシステムが提案されている（例えば、特許文献１及び２参照。）。
【特許文献１】特開２００２−３３４１１８号公報
【特許文献２】特開２００５−２４２９２５号公報
【発明の開示】
【発明が解決しようとする課題】
【０００３】
しかしながら、前記従来のシステムにおいては、オフィスのセキュリティに関する情報が考慮されていないので、セキュリティを考慮したレイアウト設計を効率的に行うことができなかった。
【０００４】
近年では、オフィス内の機密情報が不法侵入者によって持ち出されることが社会問題化している。そこで、オフィス内や該オフィス内の特定の場所に無資格者が進入することを防止するため、入出許可を得た者だけがオフィスに出入りすることができるように、オフィスの各フロアの出入口に入出管理装置を設けることが一般化しつつある。
【０００５】
さらに、オフィス内のセキュリティレベルを階層化し、オフィス内の細かなエリア毎に入出可能者を管理していく動きも出てきている。このため、オフィスのレイアウト設計を行う際に、どの位置に入出管理装置を配設したらよいかを把握するために、オフィス内のどのエリアにどのレベルのセキュリテイが設定されているかを容易に知ることができることが望まれている。
【０００６】
また、例えば、重要書類を収納するロッカーをあるエリアに配置したとき、当該エリアのセキュリティレベルを所定のレベルに設定する必要があり、そのレベルをレイアウト設計の段階で容易に知ることができることも望まれている。
【０００７】
本発明は、前記従来のシステムの問題点を解決して、建物構成情報にセキュリティ情報を付加し、前記建物構成情報の配置を行うと、必要なセキュリティエリアを表示することによって、レイアウト設計を行う際に必要なセキュリティエリアが設定されているか否かを視覚的に容易に確認することができ、セキュリティを考慮したレイアウト設計を効率的に行うことができる建物用ＣＡＤシステムを提供することを目的とする。
【課題を解決するための手段】
【０００８】
そのために、本発明の建物用ＣＡＤシステムにおいては、複数の建物構成情報を格納する建物構成情報格納手段と、前記建物構成情報を取得するための建物構成情報取得手段と、取得した建物構成情報を所定のエリアに配置する配置手段とを有する建物用ＣＡＤシステムであって、前記建物構成情報にはセキュリティ機能の有無を表すセキュリティ情報が付加され、セキュリティ機能を有する建物構成情報を配置すると、該建物構成情報の配置に対応するセキュリティエリアを表示する。
【０００９】
本発明の他の建物用ＣＡＤシステムにおいては、さらに、前記セキュリティ情報は複数のレベルを備え、前記セキュリティエリアを前記セキュリティ情報のレベルに応じた態様で表示する。
【００１０】
本発明の更に他の建物用ＣＡＤシステムにおいては、さらに、前記セキュリティ機能を有する建物構成情報は、建物のエリアヘの入出許可判断を行う機能を備えるものである。
【００１１】
本発明の更に他の建物用ＣＡＤシステムにおいては、複数の建物構成情報を格納する建物構成情報格納手段と、前記建物構成情報を取得するための建物構成情報取得手段と、取得した建物構成情報を所定のゾーンに配置する配置手段とを有する建物用ＣＡＤシステムであって、前記建物構成情報には被セキュリティ機能の有無を表す被セキュリティ情報が付加され、建物構成情報を配置すると、該建物構成情報の配置に対応する必要なセキュリティエリアの有無を表示する。
【００１２】
本発明の更に他の建物用ＣＡＤシステムにおいては、さらに、前記被セキュリティ情報は複数のレベルを備え、前記セキュリティエリアを前記被セキュリティ情報のレベルに応じた態様で表示する。
【００１３】
本発明の更に他の建物用ＣＡＤシステムにおいては、さらに、前記被セキュリティ機能を有する建物構成情報は、機密情報が記録された媒体を収納するものである。
【００１４】
本発明の更に他の建物用ＣＡＤシステムにおいては、第１及び第２の建物構成情報を格納する建物構成情報格納手段と、前記第１及び第２の建物構成情報を取得するための建物構成情報取得手段と、取得した第１及び第２の建物構成情報を所定のゾーンに配置する配置手段とを有する建物用ＣＡＤシステムであって、前記第１の建物構成情報にはセキュリティ機能の有無を表すセキュリティ情報が付加され、前記第２の建物構成情報には被セキュリティ機能の有無を表す被セキュリティ情報が付加され、前記第１及び第２の建物構成情報を配置すると、セキュリティ情報と被セキュリティ情報とを比較し、比較結果に応じて警告を表示する。
【発明の効果】
【００１５】
本発明によれば、建物用ＣＡＤシステムは、建物構成情報にセキュリティ情報を付加し、前記建物構成情報の配置を行うと、必要なセキュリティエリアを表示するようになっている。そのため、レイアウト設計を行う際に必要なセキュリティエリアが設定されているか否かを視覚的に容易に確認することができ、セキュリティを考慮したレイアウト設計を効率的に行うことができる。
【発明を実施するための最良の形態】
【００１６】
以下、本発明の実施の形態について図面を参照しながら詳細に説明する。
【００１７】
図１は本発明の実施の形態における建物用ＣＡＤシステムの構成を示す図である。
【００１８】
図において、２０は本実施の形態における建物用ＣＡＤシステムとしての操作端末２０であり、キーボード、マウス、押しボタン等から成る操作部２１、ＣＲＴ、液晶ディスプレイ、ＬＥＤ（Ｌｉｇｈｔ  Ｅｍｉｔｔｉｎｇ  Ｄｉｏｄｅ）ディスプレイ等から成る表示部２２、及び、ＣＰＵ、ＭＰＵ等の演算装置、磁気ディスク、半導体メモリ等の記憶装置、インターフェイス装置等を備える制御部２３を有するコンピュータである。なお、前記操作端末２０は、例えば、パーソナルコンピュータであるが、サーバ、ワークステーション等いかなる種類のコンピュータであってもよい。
【００１９】
そして、前記操作端末２０は、銀行、信用金庫、郵便局、消費者金融会社等の金融機関の本店、支店等の営業店、市役所、病院等の公共施設、工場、事務所等の私企業等における各種のオフィスのレイアウトを設計する場合、オフィスの部屋割り、机、パーティション等の備品の配置を決定するための建物用ＣＡＤシステムとして機能する。この場合、前記操作端末２０は、オフィスのレイアウト設計の担当者、すなわち、レイアウト作成部門の担当者によって操作される。
【００２０】
また、前記操作端末２０は、外部装置との接続口を有し、該接続口を介して、印刷手段としてのプリンタ４０と、画像読取手段としてのイメージスキャナ３０とが接続されている。ここで、前記プリンタ４０は、インクジェット方式、電子写真方式、熱転写方式等いかなる種類の方式によって画像を形成するものであってもよいし、モノクロ画像を形成するモノクロプリンタであってもよいし、カラー画像を形成するカラープリンタであってもよい。本実施の形態においては、前記プリンタ４０は、インクジェット方式のカラープリンタであるものとする。
【００２１】
そして、前記イメージスキャナ３０は、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像装置、レンズ、ミラー等の光学装置、蛍光灯等の照明装置を備え、カラーイメージ、すなわち、カラー画像を読み取るようになっている。さらに、前記イメージスキャナ３０は、ＡＤＦ（Ａｕｔｏ  Ｄｏｃｕｍｅｎｔ  Ｆｅｅｄｅｒ：原稿自動送り装置）を備えていてもよい。
【００２２】
また、前記操作端末２０は、外部の情報記録媒体５０との通信を行うインターフェイス装置を備え、前記情報記録媒体５０内に電子的に格納されている情報を読み出すことができる。なお、前記情報記録媒体５０は、例えば、メモリカード、光ディスク、記憶手段を格納したカメラや携帯電話機等であるが、いかなる種類のものであってもよい。
【００２３】
なお、イメージスキャナ３０及びプリンタ４０を動作させるためのプログラム等はプリンタ４０内及び操作端末２０にあらかじめローディングしてあるものとするが、前記イメージスキャナ３０及びプリンタ４０は、イメージスキャナ機能及びプリンタ機能、さらには、情報記録媒体５０から直接的に情報を取り込むことができる多機能プリンタであってもよく、かつ、広く市販されているものでよい。
【００２４】
次に、前記操作端末２０の機能構成について説明する。
【００２５】
図２は本発明の実施の形態における操作端末の制御ブロック図である。
【００２６】
図に示されるように、操作端末２０は、配置手段としての操作部２１、表示部２２及び建物構成情報取得手段としての制御部２３に加えて、建物構成情報格納手段としてのパーツライブラリ２６、二次元−三次元変換部２７、外部インターフェイス部２８、記憶部２９及び電源部１１を有する。
【００２７】
そして、前記パーツライブラリ２６は、レイアウト設計に使用される備品、什（じゅう）器等の、建物構成情報としてのパーツの価格、形状、品番等の各種属性並びに二次元データ及び三次元データを収納する。また、前記二次元−三次元変換部２７は、レイアウトされたエリアデータに基づいて三次元表示を可能とするデータを生成する。なお、二次元表示データに基づいて三次元表示データを生成する方法は周知であるので、説明を省略する。そして、表示部２２は、オフィスのレイアウトやパーツのデータを表示する。また、外部インターフェイス部２８は、前記プリンタ４０、イメージスキャナ３０、情報記録媒体５０等との通信を行う。さらに、前記記憶部２９は、レイアウトを設計するためのデータ、プログラム等を格納する。
【００２８】
次に、前記パーツライブラリ２６について説明する。
【００２９】
図３は本発明の実施の形態におけるパーツライブラリの構成を示す図である。
【００３０】
なお、図に示される例は、前記パーツライブラリ２６に収納されている複数のパーツのうちの１つのパーツについての属性を示すものである。この場合、パーツライブラリ２６には、設置場所、管理部門等の管理情報、幅、奥行き、高さ等の外形情報、及び、セキュリティレベル、被セキュリティレベル等の属性が、図に示されるような形態で格納されている。
【００３１】
ここで、セキュリティレベルとは、当該パーツが有するセキュリティの高さを示すものであり、例えば、低、中、高の３レベルが各々レベル１、２、３と定義される。例えば、セキュリティ情報が付加される建物構成情報としてのパーツが磁気カードを使用する入出管理装置である場合には、セキュリティレベルがレベル中であると定義され、また、例えば、前記パーツが生体認証を用いる入出管理装置である場合には、セキュリティレベルがレベル高と定義される。この定義は、使用するパーツの種類、又は、オフィス管理ルールに則り、任意に定義可能とする。
【００３２】
また、被セキュリティレベルとは、当該パーツに必要なセキュリティレベルを示すものであり、例えば、低、中、高の３レベルが各々レベル１、２、３と定義される。例えば、被セキュリティ情報が付加される建物構成情報としてのパーツがキャビネットである場合には、該キャビネットに収納する書類が一般書類であるときはセキュリティレベルがレベル低であると定義され、前記書類が機密書類であるときはセキュリティレベルがレベル高であると定義される。この定義は、セキュリティレベルの定義と同様に、使用するパーツの種類、又は、オフィス管理ルールに則り、任意に定義可能とする。
【００３３】
次に、前記構成の操作端末２０の動作について説明する。まず、スペースを作成する動作について説明する。
【００３４】
図４は本発明の実施の形態における建物用ＣＡＤシステムのスペースの基本形状を示す図、図５は本発明の実施の形態における建物用ＣＡＤシステムのスペースの寸法を調整する動作を示す図、図６は本発明の実施の形態における建物用ＣＡＤシステムのスペースを確定する動作を示す第１の図、図７は本発明の実施の形態における建物用ＣＡＤシステムのスペースを確定する動作を示す第２の図、図８は本発明の実施の形態における建物用ＣＡＤシステムの確定したスペースを示す図、図９は本発明の実施の形態における建物用ＣＡＤシステムの動作を示すフローチャートである。
【００３５】
まず、レイアウト作成部門の担当者は、操作部２１を操作して、オフィスのスペースの作成を開始する。この場合、あらかじめ登録されている図４に示されるようなスペースの基本形状の中から、所望の形状を選択する。
【００３６】
そして、スペースの形状が選択されて指定されると、図５（ａ）に示されるように、表示部２２は、選択されたスペースの形状を画面上に表示する。
【００３７】
続いて、担当者は、操作部２１を操作し、表示部２２の画面上で、実際のスペースに対応するように、選択されたスペースの寸法を調整する。
【００３８】
なお、スペースの形状を選択する場合、担当者は、例えば、登録されている数種類の基本形状の中から所望の形状に最も近似しているものを選択し、続いて、選択した形状について表示部２２の画面上で寸法を入力する。そして、寸法を調整した後のスペースの形状は、図５（ｂ）に示されるように、表示部２２の画面上に表示される。
【００３９】
続いて、担当者は、図６に示されるように、ドアや窓の配置を入力する。さらに、図７に示されるように、壁、柱等の配置を入力する。
【００４０】
続いて、担当者は、スペースの確定を行う。確定されたスペースは、図８に示されるようになる。
【００４１】
次に、フローチャートについて説明する。
ステップＳ１  スペースの形状を画面上に表示する。
ステップＳ２  スペースの寸法を調整する。
ステップＳ３  ドアの配置を入力する。
ステップＳ４  窓の配置を入力する。
ステップＳ５  壁、柱等の配置を入力する。
ステップＳ６  スペースの確定を行う。
【００４２】
次に、前述のようにして確定されたスペースに対して、レイアウト作成部門の担当者がレイアウト条件を設定する動作について説明する。
【００４３】
図１０は本発明の実施の形態における建物用ＣＡＤシステムの備品選択後のスペースの例を示す図、図１１は本発明の実施の形態における建物用ＣＡＤシステムのレイアウト条件を設定する動作を示すフローチャートである。
【００４４】
まず、レイアウト作成部門の担当者は、スペースの選択を行う。これにより、表示部２２の画面上に、選択されたスペースの空間のイメージが表示される。
【００４５】
続いて、担当者は、必要な家具等の備品をパーツとして選択する。そして、必要な備品の選択が終了すると、人数や数の入力を行う。
【００４６】
続いて、人数や数の入力が終了すると、備品選択の確定を行う。
【００４７】
そして、選択したすべてのスペースについて前記操作を繰り返し、選択したすべてのスペースについて備品選択が終了すると、処理を終了する。図１０に備品選択後のスペースを示す。入出管理装置、キャビネット、机、イスが備えられている。
【００４８】
次に、フローチャートについて説明する。
ステップＳ１１  スペースの選択を行う。
ステップＳ１２  空間のイメージが表示される。
ステップＳ１３  必要な家具等の備品を選択する。
ステップＳ１４  人数や数の入力を行う。
ステップＳ１５  備品選択の確定を行う。
ステップＳ１６  選択したすべてのスペースについて備品選択が終了したか否かを判断する。選択したすべてのスペースについて備品選択が終了した場合は処理を終了し、選択したすべてのスペースについて備品選択が終了していない場合はステップＳ１に戻る。
【００４９】
次に、前述のようにして確定されたエリアに対し、セキュリティレベルの判定を行う動作について説明する。
【００５０】
図１２は本発明の実施の形態における建物用ＣＡＤシステムのセキュリティレベルの判定を行う動作を示すフローチャートである。
【００５１】
まず、操作端末２０は、すべてのスペースについてパーツの確定が終了すると、次に、セキュリティエリアとしてのエリアに配置するために選択されたパーツのセキュリティレベルをチェックする。そして、その結果に応じてエリアを色分けする。
【００５２】
ここで、例えば、エリアの出入口に配置するために生体認証を用いる入出管理装置が選択された場合、該入出管理装置のセキュリティレベルがレベル高、すなわち、レベル３であるので配置されたエリアを所定の色、例えば、青色に塗り替える。これにより、レイアウト作成部門の担当者は、当該エリアのセキュリティレベルを目視で容易に確認することができる。
【００５３】
次に、操作端末２０は、セキュリティエリアとしてのエリアに配置するために選択されたパーツの被セキュリティレベルをチェックし、セキュリティレベルとの差分を算出する、すなわち、セキュリティレベルと被セキュリティレベルとの比較を行う。その結果、被セキュリティレベルの方がセキュリティレベルより高い場合には、アラームメッセージを表示部２２の画面に表示するとともに、そのパーツを点滅させる。
【００５４】
例えば、エリアの出入口に配置するために磁気カードを使用する入出管理装置が選択された場合、該入出管理装置のセキュリティレベルがレベル中、すなわち、レベル２であるので配置されたエリアを所定の色、例えば、黄色に塗り替える。一方、エリア内に配置するために機密書類を収納する予定のキャビネットが選択された場合、被セキュリティレベルがレベル高、すなわち、レベル３である。この場合、被セキュリティレベルの方がセキュリティレベルよりレベルが高いので、操作端末２０は、アラームメッセージを表示部２２の画面に表示するとともに、キャビネットの絵柄を点滅させ、担当者に警告を与える。
【００５５】
そして、アラームメッセージが表示されると、担当者は、パーツの修正を行い、セキュリティレベルの高い入出管理装置に交換するか、又は、被セキュリティレベルの低い備品の配置に変更する。
【００５６】
例えば、入出管理装置を生体認証を用いる入出管理装置に変更すると、そのエリアが青色に塗り替えられるとともに、差分が０になるので、アラームメッセージの表示及びパーツの点滅は停止することになる。
【００５７】
次に、フローチャートについて説明する。
ステップＳ２１  パーツのセキュリティレベルをチェックし、その結果に応じてエリアを色分けする。
ステップＳ２２  セキュリティレベルと被セキュリティレベルとの比較を行う。被セキュリティレベルの方がセキュリティレベルより高い場合は、ステップＳ２３に進み、被セキュリティレベルの方がセキュリティレベルより高くない場合は処理を終了する。
ステップＳ２３  アラームメッセージを表示部２２の画面に表示するとともに、パーツを点滅させる。
ステップＳ２４  パーツの修正を行い、処理を終了する。
【００５８】
このように、本実施の形態においては、レイアウト設計に使用するパーツにセキュリティ機能の有無、セキュリティレベル及び被セキュリティレベルを属性として付加し、前記パーツをオフィスの所定位置に配置した場合に、該当するエリアのセキュリティレベルを視覚的に表示するようになっている。また、前記エリアのセキュリティレベルが必要なレベルを確保していない場合に警告を表示するようになっている。
【００５９】
このため、オフィスのレイアウト設計を行う際に、セキュリティレベルの確保状況を視覚的に容易に確認することができ、レイアウト設計の効率化を図ることが可能となる。
【００６０】
なお、本実施の形態の建物用ＣＡＤシステムによって、銀行、信用金庫、郵便局、消費者金融会社等の金融機関の本店、支店等の営業店において、特に、現金や重要書類を一時的に保存する備品の配置シミュレーションが可能となる。
【００６１】
また、セキュリティレベルに応じた最適配置は人の流れを考慮した配置を加味することは言うまでもない。
【００６２】
なお、本発明は前記実施の形態に限定されるものではなく、本発明の趣旨に基づいて種々変形させることが可能であり、それらを本発明の範囲から排除するものではない。
【図面の簡単な説明】
【００６３】
【図１】本発明の実施の形態における建物用ＣＡＤシステムの構成を示す図である。
【図２】本発明の実施の形態における操作端末の制御ブロック図である。
【図３】本発明の実施の形態におけるパーツライブラリの構成を示す図である。
【図４】本発明の実施の形態における建物用ＣＡＤシステムのスペースの基本形状を示す図である。
【図５】本発明の実施の形態における建物用ＣＡＤシステムのスペースの寸法を調整する動作を示す図である。
【図６】本発明の実施の形態における建物用ＣＡＤシステムのスペースを確定する動作を示す第１の図である。
【図７】本発明の実施の形態における建物用ＣＡＤシステムのスペースを確定する動作を示す第２の図である。
【図８】本発明の実施の形態における建物用ＣＡＤシステムの確定したスペースを示す図である。
【図９】本発明の実施の形態における建物用ＣＡＤシステムの動作を示すフローチャートである。
【図１０】本発明の実施の形態における建物用ＣＡＤシステムの備品選択後のスペースの例を示す図である。
【図１１】本発明の実施の形態における建物用ＣＡＤシステムのレイアウト条件を設定する動作を示すフローチャートである。
【図１２】本発明の実施の形態における建物用ＣＡＤシステムのセキュリティレベルの判定を行う動作を示すフローチャートである。
【符号の説明】
【００６４】
２０    操作端末
２１    操作部
２３    制御部
２６    パーツライブラリ
【図１】
2008158720.tif 000003
【図２】
2008158720.tif 000004
【図３】
2008158720.tif 000005
【図４】
2008158720.tif 000006
【図５】
2008158720.tif 000007
【図６】
2008158720.tif 000008
【図７】
2008158720.tif 000009
【図８】
2008158720.tif 000010
【図９】
2008158720.tif 000011
【図１０】
2008158720.tif 000012
【図１１】
2008158720.tif 000013
【図１２】
2008158720.tif 000014